(57)【要約】【課題】水準器によって、測定が阻害されることなく、重量バランスに優れる光波距離計用レフレクタとする。【解決手段】測定ポール２０が挿通する中心孔１２ａを備えて、測定ポール２０に対して摺動可能に且つ固定可能となった筒体１２と、筒体１２の両側部の凹部１２ｂに軸着された支持具１４と、該支持具１４に取り付けられ、光を入射した方向に反射する反射プリズム１８と、を備え、筒体１２の上部には、反射体１８への光の入射してくる側と同じ側に延びる延設部１２ｃが設けられており、該延設部１２ｃに水準器２２が配置される。【選択図】  図１
2004309225.tif 000002
【特許請求の範囲】
【請求項１】
測定ポール（２０）が挿通する中心孔（１２ａ）を備えて、測定ポール（２０）に対して摺動可能に且つ固定可能となった筒体（１２）と、筒体（１２）に軸着された支持具（１４）と、該支持具（１４）に取り付けられ、光を入射した方向に反射する反射体（１８）と、を備え、
筒体（１２）の上部には、反射体（１８）への光の入射してくる側と同じ側に延びる延設部（１２ｃ）が設けられており、該延設部（１２ｃ）に水準器（２２）が配置されることを特徴とする光波距離形用レフレクタ。
【請求項２】
前記延設部（１２ｃ）の少なくとも一部は、反射体（１８）の上方で反射体（１８）の少なくとも一部と上下方向に重なり合うような位置に配置されることを特徴とする請求項１記載の光波距離形用レフレクタ。
【請求項３】
前記延設部（１２ｃ）には、測定ポール（２０）に固定されるためのロック機構（２４）が内蔵されることを特徴とする請求項１または２記載の光波距離計用レフレクタ。
【請求項４】
前記ロック機構（２４）は、延設部（１２ｃ）内で前記中心孔（１２ａ）に直交する方向に延びる横穴（１２ｅ）内に出没方向に滑動可能に配設されたロックボタン（２６）と、該ロックボタン（２６）を横穴（１２ｅ）から脱出させる方向へと付勢する弾性体（２８）と、ロックボタン（２６）の横穴（１２ｅ）内での位置を規制する規制手段（３０）と、からなり、ロックボタン（２６）は、前記中心孔（１２ａ）を貫通する測定ポール（２０）を押圧する位置と測定ポール（２０）を押圧しない位置とに移動可能であることを特徴とする請求項３記載の光波距離計用レフレクタ。
【発明の詳細な説明】
【０００１】
【発明の属する技術分野】
本発明は、光波距離計用レフレクタに関する。
【０００２】
【従来の技術】
従来、この種の光波距離計用レフレクタとして、測定ポールに支持枠を摺動可能且つ締付固定可能に嵌合し、支持枠に支持筒を回動すべく枢着し、支持筒に光を入射した方向に反射するプリズムの保持装置を固定したものが知られている（例えば、特許文献１参照。）。
【０００３】
測定は、測定点に測定ポールを立てて、また、支持枠の上面に設けられた気泡管で水平になっていることを確認して行い、プリズムの仮想反射点と測定ポールとの間に距離的なずれがある場合には、その光路長の補正が行われる。
【０００４】
【特許文献１】
実公平６−４８４４７号公報（第１図）
【０００５】
【発明が解決しようとする課題】
しかしながら、このような光波距離計用レフレクタでは、支持枠の上部から水平方向に延設部を設けて、該延設部に気泡管である水準器を設ける構成となっている。かかる延設部は、通常プリズムと干渉することを避けるために、プリズムと対称的に、即ち、測定ポールに対してプリズムへの光の入射してくる側（即ち、前側）と反対側（即ち、後側）へと延ばすことが一般的である。
【０００６】
このように支持枠は、水準器の為の後方へと延びる延設部を有するために、測定点が壁面の際にある場合など、壁面に密接させて測定ポールを設置することができないという問題がある。
【０００７】
また、支持枠で測定ポールに支持される構成となっており、安定性にやや欠けるために、プリズムや水準器等の支持枠によって支持される部品の重量バランスに注意しなければならないという問題がある。
【０００８】
本発明はかかる課題に鑑みなされたもので、水準器によって、測定が阻害されることなく、重量バランスに優れる光波距離計用レフレクタを提供することをその目的とする。
【０００９】
【課題を解決するための手段】
前述した目的を達成するために、請求項１記載の発明は、測定ポールが挿通する中心孔を備えて、測定ポールに対して摺動可能に且つ固定可能となった筒体と、筒体に軸着された支持具と、該支持具に取り付けられ、光を入射した方向に反射する反射体と、を備え、
筒体の上部には、反射体への光の入射してくる側と同じ側に延びる延設部が設けられており、該延設部に水準器が配置されることを特徴とする。
【００１０】
測定ポールに対して、水準器が配置される延設部が反射体への光の入射してくる側と同じ側に設けられているので、測定点が壁面の際にある場合など、壁面に密接させて測定ポールを設置しなければならない場合にも、水準器が配置された延設部が壁に当ることなく、測定ポールを壁面近傍に立てることができる。
【００１１】
筒体によって測定ポールが支持され、筒体は、少なくとも、支持具が軸着される部分から、延設部が設けられる部分まで伸びるので、筒体の測定ポールと接触する中心孔の内周面全体で、筒体に作用する重量を受けることができ、重量バランスに優れたものとすることができる。
【００１２】
請求項２記載の発明は、請求項１記載のものにおいて、前記延設部の少なくとも一部は、反射体の上方で反射体の少なくとも一部と上下方向に重なり合うような位置に配置されることを特徴とする。
【００１３】
この構成により、レフレクタ全体の水平面への投影面積を小さくすることができて、コンパクトに構成することができる。
【００１４】
請求項３記載の発明は、請求項１または２記載の前記延設部に、測定ポールに固定されるためのロック機構が内蔵されることを特徴とする。
【００１５】
延設部がロック機構を内蔵するための部分としても利用されるために、延設部の有効活用をすることができる。
【００１６】
請求項４記載の発明は、請求項３記載の前記ロック機構が、延設部内で前記中心孔に直交する方向に延びる横穴内に出没方向に滑動可能に配設されたロックボタンと、該ロックボタンを横穴から脱出させる方向へと付勢する弾性体と、ロックボタンの横穴内での位置を規制する規制手段と、からなり、ロックボタンは、前記中心孔を貫通する測定ポールを押圧する位置と測定ポールを押圧しない位置とに移動可能であることを特徴とする。
【００１７】
これにより、ロック機構は、延設部内の横穴において、主に内蔵されるために、全体をコンパクトに構成することができる。
【００１８】
【発明の実施の形態】
以下、図面を用いて本発明の実施の形態を説明する。
【００１９】
図１は本発明の実施形態に係る光波距離計用レフレクタを表す全体斜視図である。光波距離計用レフレクタ１０は、測定ポール２０に対して、摺動可能に且つ固定可能になった筒体１２を有している。筒体１２の上下方向に伸びる中心孔１２ａを測定ポール２０が挿通しており、筒体１２は測定ポール２０の一部の外周を包囲し、外周に接触している。
【００２０】
筒体１２の上下方向中央部の両側部には凹部１２ｂ、１２ｂが形成されており、該凹部１２ｂ、１２ｂに、コ字状の支持具１４の両腕部１４ａ、１４ａの先端が上下方向に揺動可能に枢着されている。コ字状の支持具１４の中央部１４ｂは、測定ポール２０よりも前側に配設されて、中央部１４ｂの中央には、反射体保護カバー１６がネジ止めされる。反射体保護カバー１６は、円筒形及び円錐台形が組み合わされた形状をなしており、その内部に、光を入射してきた方向に反射する反射プリズム１８（反射体）を有している。こうして、反射体は、コ字状の支持具１４を介して、筒体１２に対して上下方向に揺動可能に取り付けられる。
【００２１】
筒体１２の上部には、水平方向前方に延びる延設部１２ｃが形成されている。延設部１２ｃは、反射体保護カバー１６の上方を、反射体保護カバー１６の一部と上下方向に重なり合うようにして延びており、その上面には、気泡管からなる水準器２２が埋設されている。
【００２２】
また、筒体１２の延設部１２ｃの基端部には、筒体１２の軸方向に直交し、且つ前記中心孔１２ａの一部を横断する横穴１２ｅが設けられており、その横穴１２ｅに、測定ポール２０に筒体１２を固定するためのロック機構２４が内蔵される。即ち、ロック機構２４は、図４に示すように、前記横穴１２ｅ内に挿入されて横穴１２ｅ内に出没方向に摺動可能に配設されるロックボタン２６と、該ロックボタン２６を横穴１２ｅから脱出させる方向へと付勢するスプリング２８（弾性体）と、横穴１２ｅ内でのロックボタン２６の位置を規制するネジ３０（規制手段）とからなる。ロックボタン２６は、その中央部に前記測定ポール２０と嵌合し、且つ前記中心孔１２ａの周面と整合可能な凹面２６ａを有している。また、ロックボタン２６には、凹面２６ａと反対側の面に、ネジ３０が螺着されている。ネジ３０の頭部は、筒体１２の横穴１２ｅと直交する位置決め溝１２ｆ内に配設される。位置決め溝１２ｆは、横穴１２ｅと平行な方向に幅があり、その幅分に対応する距離分だけネジ３０が移動でき、それに対応して、ロックボタン２６が横穴１２ｅを移動可能となっている。図５は、測定ポール２０がない場合に、スプリング２８の付勢力によってロックボタン２６が横穴１２ｅから最大限突出した状態を表している。このとき、ネジ３０は位置決め溝１２ｆの端部に当接している。
【００２３】
図４に示すように、測定ポール２０が筒体１２の中心孔１２ａに挿入された状態において、ロックボタン２６は、スプリング２８によって付勢されて、可能な限り横穴１２ｅからの突出方向寄りの位置にあり、その位置で、凹面２６ａの曲率中心は中心孔１２ａの中心から若干ずれて、測定ポール２０を中心孔１２ａの内周面へと押圧するために、測定ポール２０はロックボタン２６によってロックされる。こうして、筒体１２が測定ポール２０に対して固定される。一方、指で、前記スプリング２８の付勢力に抗して、ロックボタン２６を横穴１２ｅから奥へと押し込むと、ロックボタン２６の凹面２６ａの曲率中心が中心孔１２ａの中心と一致し、凹面２６ａが中心孔１２ａの周面と面一となり、よって、測定ポール２０が中心孔１２ａを相対的に自由に移動できるようになる。こうして、筒体１２を測定ポール２０に対して移動させて、上下位置が調整される。
【００２４】
以上のように構成される光波距離計用レフレクタにおいて、測定を行うときには、測定点に測定ポール２０を立てる。必要に応じて、前記ロック機構２４のロックボタン２６を押して、筒体１２の上下位置を調整する。さらに、必要に応じて、コ字状の支持具１４の揺動を調整して、反射体保護カバー１６の姿勢を調整する。
【００２５】
また、水準器２２を見て、水平が保持されていることを確認する。水準器２２が埋設された延設部１２ｃは、測定ポール２０に対して前方にあり、且つ反射体保護カバー１６の上方にあるため、反射体保護カバー１６の邪魔になることなく、また、測定点が壁際にあって、測定ポール２２を壁の直ぐ近傍に配置しなければならない場合にも、延設部１２ｃが壁の邪魔になることがない（図２参照）。測定ポール２２と壁までの距離は、筒体１２の肉厚によって決まるが、１０ｍｍ程度かまたはそれ以下とすることが可能である。
【００２６】
こうして、測定ポール２０を水平になっていることが確認された後、図示しない光源から連続的に発射された高周波変調光を、反射プリズム１８で受けて反射させて、反射プリズム１８からの反射光との位相差を測定して、距離を求めることができる。
【００２７】
この光波距離計用レフレクタ１０は、測定ポール２０に摺動可能となった筒部１２を有しているために、筒部１２の内周面全体で、反射体保護カバー１６、水準器２２の重量を支持することができ、レフレクタ１０自体が測定ポール２０に対して安定して姿勢を保持することができる。よって、水準器２２が測定ポール２０に対して反射体保護カバー１６と同じ前側にあっても、レフレクタ１０全体のバランスが悪化することはない。
【００２８】
延設部１２ｃが反射体保護カバー１６の上方に配置されて、その延設部１２ｃが、反射体保護カバー１６の少なくとも一部と上下方向に重なり合うために、レフレクタ１０全体の水平面への投影面積を小さくすることができて、コンパクトに構成することができる。
【００２９】
また、延設部１２ｃが筒体１２に一体的に形成され、また、ロック機構２４が延設部１２ｃに組み込まれているために、全体形状が大きくならずに、コンパクトに構成することができる。
【００３０】
【発明の効果】
以上説明したように、本発明によれば、測定ポールに対して、延設部が反射体への光の入射してくる側と同じ側に設けられているので、測定点が壁面の際にある場合など、壁面に密接させて測定ポールを設置しなければならない場合にも、水準器が配置された延設部が壁に当ることなく、測定ポールを壁面近傍に立てることができる。
【００３１】
筒体によって測定ポールが支持され、筒体は、少なくとも、支持具が軸着される部分から、延設部が設けられる部分まで伸びるので、筒体の測定ポールと接触する中心孔の内周面全体で、筒体に作用する重量を受けることができるため、重量バランスに優れたものとすることができる。
【図面の簡単な説明】
【図１】図１は本発明の実施形態に係る光波距離計用レフレクタの斜視図である。
【図２】図１の光波距離計用レフレクタの側面図である。
【図３】図１の光波距離計用レフレクタの断面図である。
【図４】図２の４−４線断面図である。
【図５】図４において、測定ポールがない状態を表す図である。
【符号の説明】
１０  光波距離計用レフレクタ
１２  筒体
１２ａ  中心孔
１２ｂ  凹部
１２ｃ  延設部
１２ｅ  横穴
１４  支持具
１８  反射プリズム（反射体）
２０  測定ポール
２２  水準器
２４  ロック機構
２６  ロックボタン
２８  スプリング（弾性体）
３０  ネジ（規制手段）
【図１】
2004309225.tif 000003
【図２】
2004309225.tif 000004
【図３】
2004309225.tif 000005
【図４】
2004309225.tif 000006
【図５】
2004309225.tif 000007